(57)【要約】【課題】色温度変換フィルタをコンパクトに収納可能であって、色温度変換フィルタの各部が熱破損することなく有効にストロボ光の色温度調整が可能となるストロボ装置を提供することである。【解決手段】ストロボケース体１１０の収納室１２０内に、当該収納室１２０に没する収納位置と、前記開口１２１から突出する突出位置との間で往復動可能に収納された色温度変換フィルタ部材１１（１２）を有し、色温度変換フィルタ部材１１（１２）は、前記突出位置にあるときに、収納室１２０内に残る部分を含む支持部分１１０１（１２０１）と、前記突出位置にあるときに、収納室１２０から突出するフィルタ本体部分１１０２（１２０２）とを有し、前記突出位置において、収納室１２０の開口１２１から突出するフィルタ本体部分１１０２（１２０２）が発光窓２３の前面に対向して配置される構成となる。【選択図】図１０
2015079058.tif 000002
【特許請求の範囲】
【請求項１】
発光管及び反射鏡を含む発光部が設けられるとともに、該発光部に対向して配置されて該発光部からの光が通過する発光窓が設けられたストロボケース体を有するストロボ装置であって、
前記ストロボケース体の所定の壁に沿って当該ストロボケース体内に形成され、前記発光窓の隣接部において開口の形成された収納室内に、当該収納室に没する収納位置と、前記開口から突出する突出位置との間で往復動可能に収納された色温度変換フィルタ部材を有し、
前記色温度変換フィルタ部材は、前記突出位置にあるときに、前記収納室内に残る支持部分と、前記突出位置にあるときに、前記収納室から突出するフィルタ本体部分とを有し、
前記突出位置において、前記収納室の前記開口から突出する前記フィルタ本体部分が前記発光窓の前面に対向して配置される、ストロボ装置。
【請求項２】
前記色温度変換フィルタ部材の前記支持部分と前記フィルタ本体部分との境界に溝が形成され、
前記突出位置において、前記色温度変換フィルタ部材が前記溝を境に折れ曲がり、前記フィルタ本体部分が前記発光窓の前面に対向して配置される、請求項１記載のストロボ装置。
【請求項３】
前記ストロボケース体は、前記突出位置において前記フィルタ本体部分の前記支持部材と逆側の外縁部が係止される係止部を有する請求項１または２記載のストロボ装置。
【請求項４】
前記収納位置にある前記色温度変換フィルタ部材における前記支持部分の前記フィルタ本体部分と逆側の外縁部に当接し、前記色温度変換フィルタ部材を前記収納室の前記開口の方向に押し出す押出し部材を有する請求項１乃至３のいずれかに記載のストロボ装置。
【請求項５】
前記色温度変換フィルタ部材における前記フィルタ本体部分は、前記支持部分と逆側の外縁部から突出する突出片を有する請求項４記載のストロボ装置。
【請求項６】
複数の色温度変換フィルタ部材が、重ねられた状態で、前記収納室内に、前記複数の色温度変換フィルタ部材のそれぞれが、個別に、前記収納位置と前記突出位置との間で往復動可能に収納された請求項１乃至５のいずれかに記載のストロボ装置。
【請求項７】
前記収納室内に、当該収納室に没する収納位置と、前記開口から突出する突出位置との間で往復動可能に収納された光の照射範囲を変える照射角変換パネル部材を有し、
該照射角変換パネル部材は、前記突出位置にあるときに、前記収納室内に残る支持部分と、前記突出位置にあるときに、前記収納室から突出するパネル本体部分とを有し、
前記収納室内において、前記照射角変換パネル部材が、前記色温度変換フィルタ部材より外側に配置され、
前記突出位置において、前記収納室の前記開口から突出する前記パネル本体部分が前記発光窓の前面に対向して配置される請求項１乃至６のいずれかに記載のストロボ装置。
【請求項８】
前記収納室内において前記照射角変換パネル部材と前記色度温度変換フィルタ部材とを分離配置させる隔壁を有する請求項７記載のストロボ装置。
【請求項９】
発光管及び反射鏡を含む発光部が設けられるとともに、該発光部に対向して配置されて該発光部からの光が通過する発光窓が設けられたストロボケース体を有するストロボ装置であって、
前記ストロボケース体の第１の壁に沿って当該ストロボケース体内に形成され、前記発光窓の隣接部において第１の開口の形成された第１収納室内に、当該第１収納室に没する収納位置と、前記第１の開口から突出する突出位置との間で往復動可能に収納された色温度変換フィルタ部材と、
前記ストロボケース体の第２の壁に沿って当該ストロボケース体内に形成され、前記発光窓の隣接部において第２の開口の形成された第２収納室内に、当該第２収納室に没する収納位置と、前記第２の開口から突出する突出位置との間で往復動可能に収納された光の照射範囲を変える照射角変換パネル部材とを有し、
前記色温度変換フィルタ部材は、前記突出位置にあるときに、前記第１収納室内に残る支持部分と、前記突出位置にあるときに、前記第１収納室から突出するフィルタ本体部分とを有し、
前記突出位置において、前記第１収納室の前記第１の開口から突出する前記フィルタ本体部分が前記発光窓の前面に対向して配置され、
該照射角変換パネル部材は、前記突出位置にあるときに、前記第２収納室内に残る支持部分と、前記突出位置にあるときに、前記第２収納室から突出するパネル本体部分とを有し、
前記突出位置において、前記第２収納室の前記第２の開口から突出する前記パネル本体部分が前記発光窓の前面に対向して配置される、ストロボ装置。
【請求項１０】
前記第１収納室内に、前記第１収納室に没する収納位置と、前記第１の開口から突出する突出位置との間で往復動可能に収納されたキャッチライト板を有し、
前記キャッチライト板は、前記色温度変換フィルタ部材より外側に配置される請求項９記載のストロボ装置。
【請求項１１】
複数の色温度変換フィルタ部材が、重ねられた状態で、前記第１収納室内に、前記複数の色温度変換フィルタ部材のそれぞれが、個別に、前記収納位置と前記突出位置との間で往復動可能に収納された請求項９または１０に記載のストロボ装置。
【発明の詳細な説明】
【技術分野】
【０００１】
本発明は、ストロボ光の色温度を変換する色温度変換フィルタを内蔵するストロボ装置に関する。
【背景技術】
【０００２】
写真撮影において、被写体に向けて照射される光の色合いは、日中の太陽光と同じ色合いになるのが望ましいとされ、また、その色合いの指標として色温度が使われている。太陽光は５，５００Ｋの色温度を有し、それに合わせてストロボ装置の光も同じ５，５００Ｋの色温度に作られているのが一般的である。しかし写真撮影の際、周囲の環境光の色温度が大きく異なっていると、再生された画像、及びプリントされた写真は色再現性が悪くなることが知られている。
【０００３】
タングステンフィラメントを使った白熱灯の色温度は約３，０００Kである。白熱灯の環境下でストロボを使って撮影する場合、太陽光に近い色温度持つストロボ光が中心部の主要被写体を照明し、ストロボから遠い背景や陰になってストロボ光が当たらない部分は主に白熱灯が照明することになる。その結果、撮影画面全体には、ストロボ光の照明が強い部分から白熱灯の照明が強い部分まで様々の部分が混在する。このため、例えばプリント処理に際し、主要被写体となっている人物の肌色を良好に再現できるように補正を加えたとしても、ストロボ光が弱く白熱灯の照明が強い背景部分あるいはストロボ光の影の部分ではその色再現性が悪くなり、全体としてカラーバランスの良好なプリント写真は得られない。
【０００４】
環境光が蛍光灯の場合も白色蛍光灯は緑色が強く、ストロボ光の５，５００Kとずれているために同様の問題が発生する。
【０００５】
このような環境光とストロボ光の色温度の違いから起こる色再現性の悪化を防ぐ方法として、ストロボ光の色温度を環境光のそれに近づける方法が用いられる。例えば、LBAフィルタなどの色温度変換フィルタでストロボ発光部を覆い、ストロボ光の色温度を環境光の白熱灯の色温度を近づけることで、被写体全体をほぼ同一の色温度で照明する方法が一般的に知られている。このように、被写体全体をほぼ同一の色温度で照明することにより、撮影された画像はプリント処理あるいはモニター画像として再現する際に補正処理が容易でカラーバランスの良好な写真を得ることができる。
【０００６】
具体的な例として、図１に示すようなストロボ用アダプタが知られている。このストロボ用アダプタ５１は、透明なプラスチック成型物であって、ストロボ装置５０のストロボ発光部５０ａの前部に取り外し可能に装着される。そして、このストロボ用アダプタ５１は、その前方内面に、例えば、市販される厚0.05mm程度の薄いシート状のプラスチック製の色温度変換フィルタ５２を固定させて使用される。また、また、所定の色に着色されたプラスチックにより成型されたストロボ用アダプタ５３も知られている。この種のストロボ用アダプタ５３は、色温度変換フィルタ５２を用いることなく、ストロボ発光部５０ａの前部に装着するだけで使用することができる。
【０００７】
上記のようなストロボ発光部５０ａに着脱可能なストロボ用アダプタ５１、５３を利用する場合、使用者は、そのストロボ用アダプタ５１、５３を常に持ち歩かなければならず、不便である。そのような不便さを解消するために、例えば、特許文献１及び特許文献２に開示されるようなストロボ装置が提案されている。
【０００８】
特許文献１にて開示されるストロボ装置は、ストロボ発光部からの照射光をそれぞれ異なる色温度に変換する複数のフィルタを備え、この複数のフィルタを被写体の色温度に応じて選択するように構成される。
【０００９】
また、特許文献２で提案されているストロボ装置では、ストロボ放電管から放射されたストロボ光の色温度を変換できるようにしている。複数種類の色温度変換フィルタを帯状に連結したフィルムシートで構成し、外部から操作ダイヤルの操作によってフィルムシートを巻き取りながら所定の色温度変換フィルタを選択できるようにしている。
【先行技術文献】
【特許文献】
【００１０】
【特許文献１】特開平０４−２８４４３２号公報
【特許文献２】特開２０００−２８４３４７号公報
【発明の概要】
【発明が解決しようとする課題】
【００１１】
特許文献１に開示されるストロボ装置では、円盤にあるいは板体に並べて張り付けられた複数のフィルタをモータの力で切り替えるようになっている。色温度変換フィルタはストロボ光射出口のほぼ全体を覆う必要があり、そして、そのような広い面積の色温度変換フィルタが並べられた円盤や板体をストロボに対向して配置しなければならない。その結果、色温度変換フィルタを小型なストロボ装置に納めることが難しい。即ち、ストロボ装置が大型化してしまう。
【００１２】
また、特許文献２に開示されるフィルタシートは、レンズ付きフィルムユニットのストロボ部で使用される。透明な特に薄い帯状のプラスチックシートの表面に選択的に色温度変換用の顔料を塗布することによって、長手方向に別々の特性を持った色温度変換フィルタが複数配列された前記フィルタシートが形成される。このフィルタシートは内部の巻き取り軸に巻き付けられ、外部の操作ダイヤルを操作することでストロボの発光部の前面を複数の色温度変換フィルタの一つが覆うようになっている。機構を比較的狭い空間に小型にまとめてはいるが、操作ノブとそれに続く歯車や巻き取り軸など数多い部品を要するため、安価にならない。また、レンズ付きフィルムユニットは最大でも約４０回の発光回数で廃棄されるものである。従って色温度変換フィルタの耐久性は必要としない。
【００１３】
ストロボ発光窓の近傍は、光源（キセノン放電管）に近いため、ストロボ光に含まれる赤外線によって発光窓の近傍は高温度になり、特に薄いプラスチックシートなどで作られた色温度変換フィルタは高温度による損傷を受ける。特に色温度変換フィルタに汚れ等が付着した場合、汚れが赤外線によって高温度になり、容易に破損する。内部の汚れを拭き取ることができない構造のため、高い耐熱性が要求される色温度変換フィルタを実現することができない。
【００１４】
本発明は、このような事情に鑑みてなされたもので、色温度変換フィルタをコンパクトに収納可能であって、色温度変換フィルタの各部が熱破損することなく有効にストロボ光の色温度調整が可能となるストロボ装置を提供するものである。
【課題を解決するための手段】
【００１５】
本発明に係るストロボ装置は、発光管及び反射鏡を含む発光部が設けられるとともに、該発光部に対向して配置されて該発光部からの光が通過する発光窓が設けられたストロボケース体を有するストロボ装置であって、前記ストロボケース体の所定の壁に沿って当該ストロボケース体内に形成され、前記発光窓の隣接部において開口の形成された収納室内に、当該収納室に没する収納位置と、前記開口から突出する突出位置との間で往復動可能に収納された色温度変換フィルタ部材を有し、前記色温度変換フィルタ部材は、前記突出位置にあるときに、前記収納室内に残る支持部分と、前記突出位置にあるときに、前記収納室から突出するフィルタ本体部分とを有し、前記突出位置において、前記収納室の前記開口から突出する前記フィルタ本体部分が前記発光窓の前面に対向して配置される構成となる。
【００１６】
このような構成により、前記ストロボケース体の所定の壁に沿って当該ストロボケース体内に形成された収納室内に収納されて収納位置にある色温度変換フィルタ部材が該収納室の開口を通して突出位置まで移動すると、該色温度変換フィルタ部材の支持部材が収納室内に残った状態で、収納室の開口から突出したフィルタ本体部分が発光窓の前面に対向して配置される。発光部から発せられる光が発光窓を通り、更に前記フィルタ本体部分を通る際に、その光の色温度がフィルタ本体部分によって調整される。
【００１７】
本発明に係るストロボ装置において、前記色温度変換フィルタ部材の前記支持部分と前記フィルタ本体部分との境界に溝が形成され、前記突出位置において、前記色温度変換フィルタ部材が前記溝を境に折れ曲がり、前記フィルタ本体部分が前記発光窓の前面に対向して配置される構成とすることができる。
【００１８】
このような構成により、前記ストロボケース体の収納室内に収納されて収納位置にある色温度変換フィルタ部材が該収納室の開口を通して突出位置まで移動し、該色温度変換フィルタ部材の支持部材が収納室内に残った状態で、当該色温度変換フィルタが溝にて折れ曲がり、収納室の開口から突出したフィルタ本体部分が発光窓の前面に対向して配置される。
【００１９】
本発明に係るストロボ装置において、前記ストロボケース体は、前記突出位置において前記フィルタ本体部分の前記支持部材と逆側の外縁部が係止される係止部を有する構成とすることができる。
【００２０】
このような構成により、突出位置にあって発光窓の前面に対向して配置される色温度変換フィルタ部材のフィルタ本体部分の外縁部がストロボケース体の係止部に係止されるので、フィルタ本体部分が発光窓の前面に対向して配置される状態を確実に維持することができる。
【００２１】
本発明に係るストロボ装置において、前記収納位置にある前記色温度変換フィルタ部材における前記支持部分の前記フィルタ本体部分と逆側の外縁部に当接し、前記色温度変換フィルタ部材を前記収納室の前記開口の方向に押し出す押出し部材を有する構成とすることができる。
【００２２】
このような構成により、収納位置にある色温度変換フィルタ部材が押出し部材によって収納室の開口の方向に押し出されるので、収納室の開口から突出した色温度変換フィルタ部材の先端部分を摘んで、当該色温度変換フィルタを収納室から容易に引き出すことができる。
【００２３】
本発明に係るストロボ装置において、前記色温度変換フィルタ部材における前記フィルタ本体部分は、前記支持部分と逆側の外縁部から突出する突出片を有する構成とすることができる。
【００２４】
このような構成により、押出し部材によって収納室の開口方向に押し出された色温度変換フィルタを、そのフィルタ本体部分の外縁部から突出する突出片を摘んで、当該色温度変換フィルタを収納室から更に容易に引き出すことができる。
【００２５】
本発明に係るストロボ装置において、複数の色温度変換フィルタ部材が、重ねられた状態で、前記収納室内に、前記複数の色温度変換フィルタ部材のそれぞれが、個別に、前記収納位置と前記突出位置との間で往復動可能に収納された構成とすることができる。
【００２６】
このような構成により、収納室に重ねられた状態で収納されて収納位置にある複数の色温度変換フィルタ部材は、個別的に、該収納室の開口を通して突出位置まで移動し、支持部材が収納室内に残った状態で、該収納室の開口から突出したフィルタ本体部分が発光窓の前面に対向して配置される。
【００２７】
本発明に係るストロボ装置において、前記収納室内に、当該収納室に没する収納位置と、前記開口から突出する突出位置との間で往復動可能に収納された光の照射範囲を変える照射角変換パネル部材を有し、該照射角変換パネル部材は、前記突出位置にあるときに、前記収納室内に残る支持部分と、前記突出位置にあるときに、前記収納室から突出するパネル本体部分とを有し、前記収納室内において、前記照射角変換パネル部材が、前記色温度変換フィルタ部材より外側に配置され、前記突出位置において、前記収納室の前記開口から突出する前記パネル本体部分が前記発光窓の前面に対向して配置される構成とすることができる。
【００２８】
このような構成により、収納室において色温度変換フィルタの外側に配置される照射角変換パネル部材は、単独にて、該収納室の開口を通して突出位置まで移動し、支持部材が収納室内に残った状態で、該収納室の開口から突出したパネル本体部分が発光窓の前面に対向して配置される。また、色温度変換フィルタのフィルタ本体部分が発光窓の前面に対向配置された状態で、更に、該色温度変換フィルタの外側に配置される照射角変換パネル部材のパネル本体部分を、当該フィルタ本体部分を介して前記発光窓の前面に対向配置させることができる。
【００２９】
本発明に係るストロボ装置において、前記収納室内において前記照射角変換パネル部材と前記色度温度変換フィルタ部材とを分離配置させる隔壁を有する構成とすることができる。
【００３０】
このような構成により、収納室内において照射角変換パネル部材と色温度変換フィルタ部材とが隔壁を境に分離配置されるので、照射角変換パネル部材及び色温度変換フィルタのいずれか一方を収納室から引き出す際に、他方がつられて引き出されてしまうことを防止することができる。
【００３１】
本発明に係るストロボ装置は、発光管及び反射鏡を含む発光部が設けられるとともに、該発光部に対向して配置されて該発光部からの光が通過する発光窓が設けられたストロボケース体を有するストロボ装置であって、前記ストロボケース体の第１の壁に沿って当該ストロボケース体内に形成され、前記発光窓の隣接部において第１の開口の形成された第１収納室内に、当該第１収納室に没する収納位置と、前記第１の開口から突出する突出位置との間で往復動可能に収納された色温度変換フィルタ部材と、前記ストロボケース体の第２の壁に沿って当該ストロボケース体内に形成され、前記発光窓の隣接部において第２の開口の形成された第２収納室内に、当該第２収納室に没する収納位置と、前記第２の開口から突出する突出位置との間で往復動可能に収納された光の照射範囲を変える照射角変換パネル部材とを有し、前記色温度変換フィルタ部材は、前記突出位置にあるときに、前記第１収納室内に残る支持部分と、前記突出位置にあるときに、前記第１収納室から突出するフィルタ本体部分とを有し、前記突出位置において、前記第１収納室の前記第１の開口から突出する前記フィルタ本体部分が前記発光窓の前面に対向して配置され、該照射角変換パネル部材は、前記突出位置にあるときに、前記第２収納室内に残る支持部分と、前記突出位置にあるときに、前記第２収納室から突出するパネル本体部分とを有し、前記突出位置において、前記第２収納室の前記第２の開口から突出する前記パネル本体部分が前記発光窓の前面に対向して配置される構成となる。
【００３２】
このような構成により、前記ストロボケース体の第１の壁に沿って当該ストロボケース体内に形成された第１収納室内に収納されて収納位置にある色温度変換フィルタ部材が該収納室の第１の開口を通して突出位置まで移動すると、該色温度変換フィルタ部材の支持部材が第１収納室内に残った状態で、第１収納室の第１の開口から突出したフィルタ本体部分が発光窓の前面に対向して配置される。発光部から発せられる光が発光窓を通り、更に前記フィルタ本体部分を通る際に、その光の色温度がフィルタ本体部分によって調整される。また、前記ストロボケース体の第２の壁に沿って当該ストロボケース体内に形成された第２収納室内に収納されて収納位置にある照射角変換パネル部材が該第２収納室の第２の開口を通して突出位置まで移動すると、該照射角変換パネル部材の支持部材が第２収納室内に残った状態で、第２収納室の第２の開口から突出したパネル本体部分が発光窓の前面に対向して配置される。発光部から発せられる光が発光窓を通り、更に前記パネル本体部分を通る際に、その光の照射範囲が変えられる。
【００３３】
本発明に係るストロボ装置において、前記第１収納室内に、前記第１収納室に没する収納位置と、前記第１の開口から突出する突出位置との間で往復動可能に収納されたキャッチライト板を有し、前記キャッチライト板は、前記色温度変換フィルタ部材より外側に配置される構成とすることができる。
【００３４】
このような構成により、第１収納室に収納されて収納位置あるキャッチライト板は、既に突出位置にあってフィルタ本体部分が発光窓に対向して配置される色温度変換フィルタ部材に妨げられることなく、突出位置に移動して第１収納室の第１の開口から突出した状態になる。
【００３５】
本発明に係るストロボ装置において、複数の色温度変換フィルタ部材が、重ねられた状態で、前記第１収納室内に、前記複数の色温度変換フィルタ部材のそれぞれが、個別に、前記収納位置と前記突出位置との間で往復動可能に収納された構成とすることができる。
【発明の効果】
【００３６】
本発明に係るストロボ装置によれば、色温度変換フィルタ部材が収納室に収納位置と突出位置との間で往復動可能に収納されるので、当該色温度変換フィルタ部材をコンパクトに収納することができる。また、突出位置にある色温度変換フィルタ部材のフィルタ本体部分が、発光部に直接対向するのではなく、発光窓に対向して配置されるので、色温度変換フィルタ部材の各部が熱破損することなく有効にストロボ光の色温度調整が可能となる。
【図面の簡単な説明】
【００３７】
【図１】ストロボ装置から照射される光の色温度を変える手法の一例を示す図である。
【図２】本発明の第１の実施の形態に係るストロボ装置の外観を示す斜視図である。
【図３】色温度変換フィルタ部材、照射角変換パネル部材及びキャッチライト板が引き出された状態のストロボ装置を示す斜視図である。
【図４】収納室に色温度変換フィルタ部材、照射角変換パネル部材及びキャッチライト板が収納された状態のストロボケース体を示す断面図である。
【図５】色温度変換フィルタ部材を示す斜視図である。
【図６】色温度変換フィルタ部材の支持部分とフィルタ本体部分との境に形成された溝を拡大して示す図である。
【図７】支持部分とフィルタ本体部分との境で折れ曲がった状態の色温度変換フィルタ部材を示す図である。
【図８】ストロボ装置に収納される照射角変換パネル部材を示す斜視図である。
【図９】収納室内において色温度変換フィルタ部材、照射角変換パネル部材及びキャッチライト板をガイドするガイド部材を示す図である。
【図１０】収納室から色温度変換フィルタ部材が引き出される状態のストロボケース体を示す断面図である。
【図１１】収納室から色温度変換フィルタ部材が引き出された状態のストロボケース体の内部を示す図である。
【図１２】収納室から色温度変換フィルタ部材が引き出されてフィルタ本体部分が発光窓に対向して配置された状態のストロボケース体を示す断面図である。
【図１３】色温度変換フィルタ部材のフィルタ本体部分が発光窓に対向して配置された状態のストロボ装置を示す斜視図である。
【図１４】他の色温度変換フィルタ部材のフィルタ本体部分が発光窓に対向して配置された状態のストロボ装置を示す斜視図である。
【図１５】収納室から照射角変換パネル部材が引き出される状態のストロボケース体の内部を示す図である。
【図１６】収納室から照射角変換パネル部材が引き出された状態のストロボケース体の内部を示す図である。
【図１７】収納室から照射角変換パネル部材が引き出されてパネル本体部分が発光窓に対向して配しされた状態のストロボケース体を示す断面図である。
【図１８】照射角変換パネル部材のパネル本体部分が発光窓に対向して配置された状態のストロボ装置を示す斜視図である。
【図１９】収納室から色温度変換フィルタ部材及び照射角変換パネル部材が引き出されてフィルタ本体部分とパネル本体部分とが発光窓に対向して配置された状態のストロボケース体を示す断面図である。
【図２０】キャッチライト板が使用された状態のストロボ装置を示す斜視図である。
【図２１】本発明の第２の実施の形態に係るストロボ装置のストロボケース体を示す断面図である。
【図２２】図２１に示すストロボ装置におけるストロボケース体の第１収納室に収容されるキャッチライト板及び色温度変換フィルタ部材を示す図である。
【図２３】キャッチライト板と２つの色温度変換フィルタ部材が収納されたストロボケース体を示す平面図である。
【図２４】第１収納室から色温度変換フィルタ部材が引き出された状態のストロボケース体の内部を示す図である。
【図２５】第２収納室に照射角変換パネル部材が収容された状態のストロボケース体の内部を示す図である。
【図２６】第１収納室から引き出された色温度変換フィルタ部材のフィルタ本体部分と、第２収納室から引き出された照射角変換パネル部材のパネル本体部分とが発光窓に対向して配置された状態のストロボケース体を示す断面図である。
【図２７】色温度変換フィルタ部材の構造例を拡大して示す断面図である。
【発明を実施するための形態】
【００３８】
以下、本発明の実施の形態について、図面を用いて説明する。
【００３９】
本発明の第１の実施の形態に係るストロボ装置は、図２乃至図４に示すように構成される。なお、図２は、ストロボ装置１００の外観を示し、図３は、ストロボ装置１００から２つの色温度変換フィルタ部材１１、１２、照射角変換パネル部材１３及びキャッチライト板１４が引き出された状態を示し、図４は、ストロボケース体１１０の収納室１２０に２つの色温度変換フィルタ部材１１、１２、照射角変換パネル部材１３及びキャッチライト板１４が収納された状態を示す。
【００４０】
図２乃至図４において、このストロボ装置１００は、ストロボケース体１１０が軸体１０１を中心に回動自在に支持ケース体１３０に連結された構造になっている（図２及び図３参照）。支持ケース体１３０のストロボケース体１１０が連結された端部と逆側の端部には、カメラに接続される接続部１３１が設けられている。ストロボケース体１１０の内部は、上壁１１１と下壁１１２との間の空間が仕切り壁１１３によって仕切られた構造となっており、仕切り壁１１３と下壁１１２との間の空間に発光管２１及び反射鏡２２を含む発光部２０が設けられている。発光管２１から照射される光の色温度は、例えば、太陽光の色温度と略等しい５，５００Ｋに設定されている。発光部２０に対向して配置される発光窓２３が、ストロボケース体１１０の両側壁、下壁１１２及び仕切り壁１１３の端部の内面にて支持されている。このようにしてストロボケース体１１０に設けられた発光窓２３を通して発光部２０からの光が照射される。下壁１１２内面の発光窓２３が支持される部位の前方の隣接部位に、後述するように色温度変換フィルタ部材１１（１２）の端縁部を係止する係止部１１４が形成されている。
【００４１】
ストロボケース体１１０の外壁１１１と仕切り壁１１３との間に、当該外壁１１１に沿って収納室１２０が形成されている。発光窓２３に隣接する収納室１２０の端部（発光窓２３の隣接部）に開口１２１が形成されている。収納室１２０には、第１色温度変換フィルタ部材１１、第２色温度変換フィルタ部材１２、光の照射範囲を変える照射角変換パネル部材１３及びキャッチライト板１４が収納されている。なお、照射角変換パネル部材１３の種類として、照射角度を広げるワイドアダプタと、透明プラスチック板に形成したフレネルレンズで構成され、照射角度を狭めてストロボのガイドナンバーを上げる通称テレアダプタとがある。収納室１２０は、隔壁１２３によって仕切り壁１１３側の空間と、上壁１１１側の空間とに分離されている。仕切り壁１１３側の空間に第１色温度変換フィルタ部材１１及び第２色温度変換フィルタ部材１２が、重ねられた状態で収容されている。また、上壁１１１側の空間には、照射角変換パネル部材１３及びキャッチライト板１４が、キャッチライト板１４が照射角変換パネル部材１３に重ねられた状態で収容されている。このようにして、収納室１２０内では、第２色温度変換フィルタ部材１２が第１色温度変換フィルタ部材１１の外側に、照射角変換パネル部材１３が第２色温度変換フィルタ部材１２の外側に、更に、キャッチライト板１４が照射角変換パネル部材１３の外側に、それぞれ配置される。第１色温度変換フィルタ部材１１、第２色温度変換フィルタ１２、照射角変換パネル部材１３及キャッチライト板１４のそれぞれは、図４に示すように収納室１２０に没する収納位置と、図３に示すように開口１２１から突出する突出位置との間で往復動可能である。
【００４２】
第１色温度変換フィルタ部材１１及び第２色温度変換フィルタ部材１２は、図５に示すように構成されている。
【００４３】
図５において、各色温度変換フィルタ部材１１（１２）は、シート状（例えば、厚さ：０．１ｍｍ〜０．５ｍｍ）のプラスチックにて形成され、支持部分１１０１（１２０１）とフィルタ本体部分１１０２（１２０２）とを有している。支持部分１１０１（１２０１）とフィルタ本体部分１１０２（１２０２）との境には、図６に拡大して示すように、Ｖ字状の溝１１０３（１２０３）が形成されている。各色温度変換フィルタ部材１１（１２）は、図７に示すように、Ｖ字状の溝１１０３（１２０３）を境にして折れ曲がることができる。各色温度変換フィルタ１１（１２）は、後述するように、突出位置にあるとき（図３参照）、支持部分１１０１（１２０１）は収納室１２０内に残り、フィルタ本体部分１１０２（１２０２）は収納室１２０から突出する。
【００４４】
各色温度変換フィルタ部材１１（１２）の支持部分１１０１（１２０１）には、両側端部から突出するストッパ片１１０１ａ（１２０１ａ）、１１０１ｂ（１２０１ｂ）が形成されている。また、第１色温度変換フィルタ部材１１のフィルタ本体部分１１０２には、支持部分１１０１と逆側の外縁部の一端部から突出する孔の開いた第１突出片１１０４が形成されている。第２色温度変換フィルタ部材１２のフィルタ本体部分１２０２にも、支持部分１２０１と逆側の外縁部の他端部から突出する孔の開いた第２突出片１２０４が形成されている。第１突出片１１０４と第２突出片１２０４の相対的な形成位置が、第１色温度変換フィルタ部材１１と第２色温度変換フィルタ部材１２との間で異なり、第１色温度変換フィルタ部材１１（フィルタ本体部分１１０２）と第２色温度変換フィルタ部材１２（フィルタ本体部分１２０２）とが収納室１２０内で重なっていても、それら突出片１１０４、１２０４は重ならない。
【００４５】
第１色温度変換フィルタ部材１１（フィルタ本体部分１１０２）の色温度特性と、第２色温度変換フィルタ部材１２（フィルタ本体部分１２０２）の色温度特性は、同じであっても、異なっていてもよい。第１色温度変換フィルタ部材１１と第２色温度変換フィルタ部材１２を同じ特性の白熱灯用色温度変換フィルタにして、撮影シーンの照明光の色温度が特に低い場合には２枚重ねてさらに色温度を下げて使ったり、あるいは、第１色温度変換フィルタ部材１１の色温度特性を、白熱灯用の低い色温度３，０００Ｋに設定し、第２色温度変換フィルタ部材１２の色温度特性を白色蛍光灯の色温度特性にすることで、それぞれの撮影シーンの照明光に合わせて設定することができる。
【００４６】
照射角変換パネル部材１３は、図８に示すように、支持部分１３０１とパネル本体部分１３０２とを有している。支持部分１３０１とパネル本体部分１３０２とは相互に回動自在に軸体によって連結されている。そして、支持部分１３０１とパネル本体部分１３０２とを連結する軸体にはコイルばね１３０３が装着されている。このコイルばね１３０２により、パネル本体部分１３０２は常時所定方向側に、収納室１２０に収納された状態の照射角パネル部材１３では、発光窓２３側に、付勢されている。照射角変換パネル部材１３は、後述するように、突出位置にあるとき（図３参照）、支持部分１３０１は収納室１２０内に残り、パネル本体部分１３０２は収納室１２０から突出する。また、照射角変換パネル部材１３の支持部分１３０１には、両側端部から突出するストッパ片１３０１ａ、１３０１ｂが形成されている。
【００４７】
ストロボケース体１１０の収納室１２０には、図９に示すように、ガイド枠体１２５が設けられている。ガイド枠体１２５は、収納室１２０の奥側所定位置に配置される後端ストッパ部１２５ａと、収納室１２０の開口１２１側の所定位置に配置される前方段部１２５ｂ、１２５ｃとを有している。照射角変換パネル部材１３が収納室１２０の収納位置にある状態で、照射角変換パネル部材１３（支持部分１３０１）の後端縁がガイド枠体１２５の後端ストッパ部１２５ａに突き当たっている。照射角変換パネル部材１３は、収納室１２０から引き出される際に、支持部分１３０１の両ストッパ片１３０１ａ、１３０１ｂがガイド枠体１２５にガイドされつつ移動し、両ストッパ片１３０１ａ、１３０１ｂがガイド枠体１２５の前方段部１２５ｂ、１２５ｃに突き当たって、突出位置に達する。
【００４８】
図２乃至図４に示すように、ストロボケース体１１０における外壁１１１の後方所定部位には、収納室１２０と連通するスライド孔１２２が形成されている。図４に示すように、収納室１２０には、各色温度変換フィルタ部材１１（１２）の後外縁部、即ち、支持部分１１０１（１２０１）のフィルタ本体部分１１０２（１２０２）と逆側の外縁部に当接し、各色温度変換フィルタ部材１１、１２を収納室１２０の開口１２１の方向に押し出す押出し部材１２４が設けられている。押出し部材１２４は、スライドブロック１２４ａ及びスライドブロック１２４ａから突出してスライド孔１２２から露出するスライド摘み１２４ｂにより構成されている。各色温度変換フィルタ部材１１、１２が収納位置にある状態で、スライド摘み１２４ｂがスライド孔１２２の後端位置にあり、スライドブロック１２４ａが各色温度変換フィルタ部材１１、１２の後縁部に突き当たっている。各色温度変化フィルタ部材１１、１２は、押出し部材１２４（スライドブロック１２４ａ、スライド摘み１２４ｂ）により開口１２１の方向（前方）に押し出された後に収納室１２０から引き出される際に、支持部分１１０１（１２０１）の両ストッパ片１１０１ａ（１２０１ａ）、１１０１ｂ（１２０１ｂ）がガイド枠体１２５にガイドされつつ移動し、両ストッパ片１１０１ａ（１２０１ｂ）、１１０１ｂ（１２０１ｂ）がガイド枠体１２５の前方段部１２５ｂ、１２５ｃに突き当たって、突出位置に達する。
【００４９】
上述したような構造のストロボ装置１００において、ストロボケース体１１０の収納室１２０の収納位置にある（収納された）、例えば、第１色温度変換フィルタ部材１１は、次にようにして収納室１２０から引き出されて使用される。
【００５０】
スライド摘み１２４ｂの操作により、収納室１２０内の収納位置にある各色温度変換フィルタ部材１１、１２（図４参照）がスライドブロック１２４ａに押されて開口１２１の方向に押し出され、図１０に示すように、各色温度変換フィルタ部材１１、１２（フィルタ本体部分１１０２、１２０２）の各突出片１１０４、１２０４（図５参照）が収納室１２０の開口１２１から僅かに突出した状態になる。その後、指を第１突出片１１０４の孔に掛けて（あるは第１突出片１１０４を摘んで）、第１色温度変換フィルタ部材１１が引き出される。その過程で、第１色温度変換フィルタ１１は、ガイド枠体１２５（図９参照）にガイドされつつ移動し、図１１に示すように、支持部分１１０１の両ストッパ片１１０１ａ、１１０１ｂがガイド枠体１２５の前方段部１２５ｂ、１２５ｃに突き当たって、突出位置にて止まる。
【００５１】
この状態で、支持部分１１０１が収納室１２０内に残っており、フィルタ本体部分１１０２が収納室１２０の開口１２１から突出している。そして、第１色温度変換フィルタ部材１１が溝１１０３を境に折り曲げられて、図１２に示すように、収納室１２０から突出したフィルタ本体部分１１０２の端縁部がストロボケース体１１０の下壁１１２に形成された係止部１１４に係止される。これにより、第１色温度変換フィルタ部材１１のフィルタ本体部分１１０２が、図１２とともに図１３に示すように、発光窓２３に対向して配置される。この状態で、発光部２０での発光がなされると、発光部２０から発せられる光（ストロボ光）が発光窓２３を通り、更に、第１色温度変換フィルタ部材１１のフィルタ本部分１１０２を通って、被写体に照射される。発光部２３からの光がフィルタ本体部分１１０２を通る際に、その光の色温度がフィルタ本体部分１１０２（第１色温度の色温度変換フィルタ部材１１）の色特性に応じて調整される。
【００５２】
なお、第１色温度変換フィルタ部材１１がストロボケース体１１０の収納室１２０から引き出される際に、その第１色温度変換フィルタ部材１１につられて第２色温度変換フィルタ部材１２が引き出された場合には、第２色温度変換フィルタ部材１２を押し戻すことにより、第２色温度変換フィルタ１２は収納位置に戻ると共に押出し部材１２４（スライドブロック１２４ａ、スライド摘み１２４ｂ）も第２色温度変換フィルタ部材１２に押されて元の位置に戻る（図１２参照）。
【００５３】
第２色温度変換フィルタ部材１２も、上述した第１色温度変換フィルタ部材１１の場合と同様に、スライド摘み１２４ｂのスライド操作及び第２突出片１２０４を使った引き出し操作によりストロボケース体１１０の収納室１２０から突出位置まで引き出される。そして、第２色温度変換フィルタ部材１２が溝１２０３を境にして折り曲げられて、そのフィルタ本体部分１２０２の端縁部が、図１４に示すように、ストロボケース体１１０の下壁１１２に形成された係止部１１４に係止される。これにより、第２色温度変換フィルタ部材１２のフィルタ本体部分１２０２が発光窓２３に対向して配置される（図１４参照）。
【００５４】
ストロボケース体１１０の収納室１２０の収納位置にある（収納された）、例えば、照射角変換パネル部材１３は、次のようにして収納室１２０から引き出されて使用される。
【００５５】
図１５に示すように、収納室１２０の収納位置にある照射角変換パネル部材１３の前端部に指が掛けられて、当該照射角変換パネル部材１３が引き出される。その過程で、照射角変換パネル部材１３は、図１６に示すように、ガイド枠体１２５にガイドされつつ移動し、支持部分１３０１の両ストッパ片１３０１ａ、１３０１ｂがガイド枠体１２５の前方段部１２５ｂ、１２５ｃに突き当たって、突出位置にて止まる。突出位置にある照射角変換パネル部材１３は、支持部分１３０１が収納室１２０に残ってパネル本体部分１３０２が収納室１２０の開口１２１から突出する。パネル本体部分１３０２が収納室１２０から突出すると、コイルばね１３０３の付勢力により、図１７に示すように、照射角変換パネル部材１３は、支持部分１３０１とパネル本体部分１３０２との境にして発光窓２３側に折れ曲がる。これにより、図１７とともに図１８に示すように、パネル本体部分１３０２が発光窓２３に対向して配置される。この状態で、発光部２０での発光がなされると、発光部２０から発せられる光（ストロボ光）が発光窓２３を通り、更に、パネル本体部分１３０２を通って、被写体に照射される。発光部２３からの光がパネル本体部分１３０２を通る際に、その光の照射範囲が変えられる（例えば、広い範囲に変えられる）。
【００５６】
更に、ストロボケース体１１０の収納室１２０から、２つの色温度変換フィルタ部材１１、１２のいずれか一方と、照射角変換パネル部材１３との両方を引き出して使用することもできる。この場合、前述したのと同様にして（図１０〜図１２参照）、例えば、第２色温度変換フィルタ部材１２が引き出されて、そのフィルタ本体部分１２０２が発光窓２３に対向してセットされた後に、第２色温度変換フィルタ部材１２の外側に配置される照射角変換パネル部材１３が引き出される（図１５〜図１７参照）。これにより、図１９に示すように、発光窓２３に対向するフィルタ本体部分１２０２（第２色温度変換フィルタ部材１２）の外側に、更に、発光窓２３に対向するように照射角変換パネル部材１３のパネル本体部分１３０２が配置される。この状態で、発光部２０での発光がなされると、発光部２０から発せられる光（ストロボ光）が発光窓２３を通り、更に、フィルタ本体部分１２０２及びパネル本体部分１３０２を通って、被写体に照射される。発光部２３からの光がフィルタ本体部分１１０２を通る際に、その光の色温度がフィルタ本体部分１２０２（第２色温度の色温度変換フィルタ部材１２）の色特性に応じて調整され、その色温度調整のされた光が更にパネル本体部分１３０２（照射角変換パネル部材１３）を通る際に、その光の照射範囲が変えられる（例えば、広い範囲に変えられる）。
【００５７】
また、ストロボケース体１１０の収納室１２０の収納位置にある（収納された）、例えば、キャッチライト板１４は、図２０に示すように、突出位置まで引き出された状態で使用される。キヤッチライト板１４は拡散反射する白色のシートで形成されている。発光窓２３を通して照射される発光部２０からの光（ストロボ光）が、キャッチライト板１４を照明することで白色の明るい２次光源となり、その反射像が人物の目に明るい光点（アイキャッチ）を作り出す（バウンスライティング撮影）。
【００５８】
なお、２つの色温度変換フィルタ部材１１、１２の双方を引き出して使用することも可能である。この場合、収納室１２０から引き出された２つの色温度変換フィルタ部材１１、１２のフィルタ本体部分１１０２、１２０２の端縁部が係止部１１４に係止され、その２つのフィルタ本体部分１１０２、１２０２が重なった状態で発光窓２３に対向して配置される。発光窓２３を通る発光部２０からの光（ストロボ光）は、第１色温度変換フィルタ部材１１（フィルタ本体部分１１０２）の色温度特性と、第２色温度変換フィルタ部材１２（フィルタ本体部分１２０２）の色温度特性とが重畳された色温度特性に調整される。例えば、第１色温度変換フィルタ部材１１と第２色温度変換フィルタ部材１２を同じ特性で濃さが異なる白熱灯用色温度変換フィルタにして、撮影シーンの照明光の色温度が特に低い場合には2枚重ねてさらに色温度を下げて使ったりすることができる。もちろん、周囲光の濃さに応じて一方のフィルタのみ使うこともできる。
【００５９】
更に、２つの色温度変換フィルタ部材１１、１２の双方と、照射角変換パネル部材１３とを引き出して使用することも可能である。この場合、その２つの色温度変換フィルタ部材１１、１２のフィルタ本体部分１１０２、１２０２が重なった状態で発光窓２３に対向して配置され、更に、その外側に、照射角変換パネル部材１３のパネル本体部分１３０２が配置される。発光窓２３を通る発光部２０からの光（ストロボ光）は、第１色温度変換フィルタ部材１１（フィルタ本体部分１１０２）の色温度特性と、第２色温度変換フィルタ部材１２（フィルタ本体部分１２０２）の色温度特性とが重畳された色温度特性に調整され、そのような色温度特性に調整された光がパネル本体部分１３０２（照射角変換パネル部材１３）によってその照射範囲が変えられる（例えば、広い範囲に変えられる）。
【００６０】
なお、上述したようにして使用される各色温度変換フィルタ部材１１、１２、照射角変換パネル部材１３は、折れ曲がった状態を元に戻しながら、収納室１２０の収納位置まで押し入れることができる。また、キャッチライト板１４も、そのまま、収納室１２０の収納位置まで押し入れることができる。
【００６１】
上述したような本発明の第１の実施の形態に係るストロボ装置１００によれば、各色温度変換フィルタ部材１１、１２が重ねられた状態で収納室１２０に収納位置と突出位置との間で往復動可能に収納されるので、当該色温度変換フィルタ部材１１、１２をコンパクトに収納することができる。また、突出位置にある色温度変換フィルタ部材１１（１２）のフィルタ本体部分１１０２（１２０２）が、発光部２０に直接対向するのではなく、発光窓２３に対向して配置され、また、特許文献２に記載されたフィルタのように極端に薄くする必要もないので、色温度変換フィルタ部材１１（１２）の各部が熱破損することなく有効にストロボ光の色温度調整が可能となる。
【００６２】
また、２つの色温度変換フィルタ部材１１、１２が、照射角変換パネル部材１３及びキャッチライト板１４ともに重ねられた状態で、収納室１２０に収納されているので、それら２つの色温度変換フィルタ部材１１、１２、照射角変換パネル部材１３及びキャッチライト板１４全体をよりコンパクトに収納することができる。そして、各色温度変換フィルタ部材１１、１２、照射角変換パネル部材１３及びキャッチライト板１４を個別に利用することが可能であり、更に、各色温度変換フィルタ部材１１（１２）及び照射角変換パネル部材１３のうち２つまたは３つを組み合わせて使用することも可能である。このため、その利用態様を格段に増やすことができる。
【００６３】
更に、収納室１２０において、隔壁１２３によって、２つの色温度変換フィルタ部材１１、１２と、照射角変換パネル部材１３及びキャッチライト板１４とが分離して配置されているので、隣接する照射角変換パネル部材１３及び第２色温度変換フィルタ部材１２のいずれか一方を収納１２０室から引き出す際に、他方がつられて引き出されてしまうことを防止することができる。
【００６４】
なお、上述した構造のストロボ装置１００では、ストロボケース体１１０の収納室１２０に２つの色温度変換フィルタ部材１１、１２が収納されるものであったが、収納室１２０の容量を適正に設定することにより、１つの色温度変換フィルタ部材あるいは３つ以上の色温度変換フィルタ部材を収納室１２０に収納させることも可能である。
【００６５】
ところで、ストロボ装置１００がセットされたカメラにて撮影する際には、撮影場所の周囲光の色（色温度）にストロボ光の色温度を合せることが好ましい。そのために、周囲光の色温度に合うストロボ照明になるように適正な色温度変換フィルタ部材１１（１２）が収納室１２０から引き出されて発光窓２３に対向してセットされる。同じ環境で撮影を続ける場合には、セットされた色温度変換フィルタ部材１１（１２）を変える必要はない。
【００６６】
ズームレンズ等で撮影画角を変える場合、その画角に合わせてストロボ光の照射角度を変えることが頻繁に起こり得る。その際、照射角変換パネル部材１３を使用したり、戻したりする操作が頻繁に行われる。そのような状況において、周囲光が同じ色温度であれば、適当な色温度変換フィルタ部材１１（１２）を発光窓２３に対向してセットしたまま、照射角変換パネル部材１３をセットし、または、外す操作がなされる。
【００６７】
同じ周囲光の中で人物を撮影する場合、周囲光の色温度に合わせてセットした色温度変換フィルタ部材１１（１２）をそのまま外さず、ストロボ照明の拡がりを考慮して照射角変換パネル部材１３をセットしたり、あるいは、はずしたりする。更に、被写体である人物の目におけるアイキャッチを強調する場合、キャッチライト板１４を引き出してセットした状態で撮影する。
【００６８】
上述したようなカメラに組み合わせて使用されるストロボ装置１００の仕様態様を考慮すると、ストロボケース体１１０の収納室１２０には、図３及び図４に示すように、発光部２０（発光窓２３）に近い側から、一又は複数の色温度変換フィルタ部材１１（１２）、次に照射角変換パネル部材１３、次にキャッチライト板１４の順に格納され、前述したようにそれぞれが独立して収納室１２０から引き出して使用でき、また、押し戻して収納できることが好ましい。
【００６９】
本発明の第２の実施の形態に係るストロボ装置におけるストロボケース体１１０は、図２１に示すように構成される。
【００７０】
図２１において、ストロボケース体１１０の内部は、上壁１１１と下壁１１２との間の空間が第１仕切り壁１１３と第２仕切り壁１１５とによって仕切られた構造となっており、第１仕切り壁１１３と第２仕切り壁１１５との間の空間に発光部２０（発光管２１及び反射鏡２２を含む）が設けられている。発光部２０に対向して配置される発光窓２３が、ストロボケース体１１０の両側壁、第１仕切り壁１１３及び第２仕切り壁１１５の端部の内面に支持されている。第２仕切り壁１１５内面の発光窓２３が支持される部位の前方の隣接部位に、色温度変換フィルタ部材１１（１２）の端縁部を係止する係止部１１４が形成されている。
【００７１】
ストロボケース体１１０の外壁１１１と第１仕切り壁１１３との間に、当該外壁１１１に沿って第１収納室１２０ａが形成されている。発光窓２３に隣接する第１収納室１２０ａの端部に第１の開口１２１ａが形成されている。第１収納室１２０ａには、第１色温度変換フィルタ部材１１、第２色温度変換フィルタ部材１２及びキャッチライト板１４が収納されている。第１収納室１２０ａにおいて、それら第１色温度変換フィルタ部材１１、第２色温度変換フィルタ部材１２及びキャッチライト板１４は、第２色温度変換フィルタ部材１２が第１色温度変換フィルタ部材１１の外側に、キャッチライト板１４が第２色温度変換フィルタ部材１２の外側にそれぞれ配置されるように、重ねられている。第１色温度変換フィルタ部材１１、第２色温度変換フィルタ部材１２及びキャッチライト板１４のそれぞれは、第１収納室１２０ａに没する収納位置と、第１収納室１２０ａの第１の開口１２１ａから突出する突出位置との間で往復動可能である。
【００７２】
ストロボケース体１１０の下壁１１２と第２仕切り壁１１５との間に当該下壁１１２に沿って第２収納室１２０ｂが形成されている。発光窓２３に隣接する第２収納室１２０ｂの端部に第２の開口１２１ｂが形成されている。第２収納室１２０ｂには、照射角変換パネル部材１３が収納されている。照射角変換パネル部材１３は、第２収納室１２０ｂに没する収納位置と、第２収納室１２０ｂの第２の開口１２１ｂから突出する突出位置との間で往復動可能である。
【００７３】
第１収納室１２０ａに収納される第１色温度変換フィルタ部材１１、第２色温度変換フィルタ部材１２及びキャッチライト板１４は、図２２に示すように構成される。
【００７４】
第１色温度変換フィルタ部材１１及び第２色温度変換フィルタ部材１２のそれぞれは、前述した例（図５参照）と同様の構造となっている。即ち、各色温度変換フィルタ部材１１、１２は、支持部分１１０１（１２０２）及びフィルタ本体部分１１０２（１２０２）を有し、支持部分１１０１（１２０１）とフィルタ本体部分１１０２（１２０２）との境にＶ字状の溝１１０３（１２０３）が形成され、溝１１０３（１２０３）を境に折れ曲がるようになっている。また、第１色温度変換フィルタ部材１１において、支持部分１１０１の両側端部にストッパ片１１０１ａ、１１０１ｂが形成されるとともに、フィルタ本体部分１１０２の端縁部に第１突出片１１０４が形成されている。同様に、第２色変換フィルタ部材１２において、支持部分１２０１の両側端部にストッパ片１２０１ａ、１２０１ｂが形成されるとともに、フィルタ本体部分１２０２の端縁部に第２突出片１２０４が形成されている。
【００７５】
キャッチライト板１４の一方の端部には、その両側縁から突出するストッパ片１４０１ａ、１４０１ｂが形成され、他方の端部にはその縁の中央部から突出する突出片１４０２が形成されている。第１色温度変換フィルタ部材１１（フィルタ本体部分１１０２）の第１突出片１１０４、第２色温度変換フィルタ部材１２（フィルタ本体部分１２０２）の第２突出片１２０４及びキャッチライト板１４の突出片１４０２の相対的な形成位置が異なっており、各色温度変換フィルタ部材１１、１２及びキャッチライト板１４が第１収納室１２０ａ内で重なっていても、第１突出片１１０４、第１突出片１２０４及び突出片１４０２は重ならない。
【００７６】
第２収納室１２０ｂに収容される照射角変換パネル部材１３の構造は、前述した例（図８）のものと同じである。
【００７７】
ストロボケース体１１０の外壁１１１には、図２３に示すように、３つの切欠き部１１１ａ、１１１ｂ、１１１ｃが形成されている。これら３つの切欠き部１１１ａ、１１１ｂ、１１１ｃの形成位置は、第１色温度変換パネル部材１１、第２色温度変換パネル部材１２及びキャッチライト板１４が第１収納室１２０ａに収容された（収納位置にある）状態で、第１色温度変換パネル部材１１の第１突出片１１０４が切り欠き１１１ａから露出し、第２色温度変換パネル部材１２の第２突出片１２０４が切り欠き１１１ｂから露出し、キャッチライト板１４の突出片１４０２が切り欠き１１１ｃから露出するように、決められる。第１収納室１２０ａには、図２４に示すように第１ガイド枠体１２６が設けられている。第１ガイド枠体１２６は、第１収納室１２０ａの奥側所定位置に配置される後端ストッパ部１２６ａと、第１収納室１２０の第１の開口１２１ａ側の所定位置に配置される前方段部１２６ｂ、１２６ｃとを有している。第１色温度変換フィルタ部材１１、第２色温度変換フィルタ部材１２及びキャッチライト板１４が第１収納室１２０ａの収納位置にある状態（図２３に示す状態）で、それらの後端縁が第１ガイド枠体１２６の後端ストッパ部１２６ａに突き当たっている。第１色温度変換フィルタ部材１１、第２色温度変換フィルタ部材１２及びキャッチライト板１４のそれぞれは、第１収納室１２０ａから引き出される際に、両ストッパ片１１０１ａ（１２０１ａ、１４０１ａ）、１１０１ｂ（１２０１ｂ、１４０１ｂ）が第１ガイド枠体１２６にガイドされつつ移動し、両ストッパ片１１０１ａ（１２０１ａ、１４０１ａ）、１１０１ｂ（１２０１ｂ、１４０１ｂ）が第１ガイド枠体１２６の前方段部１２６ｂ、１２６ｃに突き当たって、突出位置に達する。
【００７８】
ストロボケース体１１０の第２収納室１２０ｂには、図２５に示すように、第２ガイド体１２７が設けられている。第２ガイド枠体１２７は、第２収納室１２０ｂの奥側所定位置に配置される後端ストッパ部１２７ａと、第２収納室１２０ｂの第２の開口１２１ｂ側の所定位置に配置される前方段部１２７ｂ、１２７ｃとを有している。照射角変換パネル部材１３が第２収納室１２０ｂの収納位置にある状態で、照射角変換パネル部材１３（支持部分１３０１）の後端縁が第２ガイド枠体１２７の後端ストッパ部１２７ａに突き当たっている。照射角変換パネル部材１３は、第２収納室１２０ｂから引き出される際に、支持部分１３０１の両ストッパ片１３０１ａ、１３０１ｂがガイド枠体１２５にガイドされつつ移動し、両ストッパ片１３０１ａ、１３０１ｂが第２ガイド枠体１２７の前方段部１２７ｂ、１２７ｃに突き当たって、突出位置に達する。
【００７９】
上述したストロボケース体１１０を有するストロボ装置では、第１収納室１２０ａに収納された（収納位置ある）、例えば、第１色温度変換フィルタ部材１１は、第１突出片１１０４を使った引き出し操作により、突出位置まで引き出される。そして、第１色温度変換フィルタ部材１１が溝１１０３を境にして発光窓２３側に折り曲げられて、そのフィルタ本体部分１１０２の端縁部が、図２６に示すように、第２仕切り壁１１５に形成された係止部１１４に係止される。これにより、第１色温度変換フィルタ部材１１のフィルタ本体部分１１０２が発光窓２３に対向して配置される（図２６参照）。
【００８０】
また、第２収納室１２０ｂに収容された（収容位置ある）照射角変換パネル部材１３の前端部に指がかけられて、当該照射角変換パネル部材１３が引き出される。そして、照射角変換パネル部材１３が第２収納室１２０ｂから露出して突出位置に達すると、支持部分１３０１が第２収納室１２０ｂに残ってパネル本体部分１３０２が第２収納室１２０ｂの第２の開口１２１ｂから突出する。パネル本体部分１３０２が第２収納室１２０ｂから突出すると、コイルばね１３０３の付勢力により、図２６に示すように、照射角変換パネル部材１３は、支持部分１３０１とパネル本体部分１３０２との境にして発光窓２３側に折れ曲がる。これによりパネル本体部分１３０２が発光窓２３に対向して配置される。
【００８１】
更に、第１収納室１２０ａに収納された（収納位置ある）、例えば、キャッチライト板１４は、突出片１４０２を使った引き出し操作により、図２６に示すように、突出位置まで引き出される。
【００８２】
上述した本発明の第２の実施の形態に係るストロボ装置によれば、各色温度変換フィルタ部材１１、１２及びキャッチライト板１４が重ねられた状態で第１収納室１２０ａに収納位置と突出位置との間で往復動可能に収納され、また、照射角変換パネル部材１３が第２収納室１２０ｂに収納位置と突出位置との間で往復動可能に収納されるので、色温度変換フィルタ部材１１、１２と及びキャッチライト板１４とともに照射角変換パネル部材１３をコンパクトに収納することができる。また、第１の実施の形態の場合と同様に、突出位置にある色温度変換フィルタ部材１１（１２）のフィルタ本体部分１１０２（１２０２）が、発光部２０に直接対向するのではなく、発光窓２３に対向して配置されるので、色温度変換フィルタ部材１１（１２）の各部が熱破損することなく有効にストロボ光の色温度調整が可能となる。
【００８３】
また、各色温度変換フィルタ部材１１、１２と照射角変換パネル部材１３とが別々の収納室１２０ａ、１２０ｂに収納されるので、照射角変換パネル部材１３及び各色温度変換フィルタ部材１１、１２のいずれか一方を第１収納室１２０ａまたは第２収納室１２０ｂから引き出す際に、他方がつられて引き出されてしまうことを確実に防止することができる。
【００８４】
なお、本発明の第２の実施の形態に係るストロボ装置では、第１収納室１２０ａに色温度変換フィルタ部材１１、１２及びキャッチライト板１４が収納され、第２収納室１２０ｂに照射角変換パネル部材１３が収納されるものであったが、第１収納室１２０ａ及び第２収納室１２０ｂに収納されるべきものはこれに限定されない。例えば、第２収納室１２０ｂに一又は複数の色温度変換フィルタ部材１１（１２）を収納し、第１収納室１２０ａに照射角変換パネル部材１３及びキャッチライト板１４を収納することもできる。
【００８５】
また、第１収納室１２０ａまたは第２収納室１２０ｂに２つの色温度変換フィルタ部材１１、１２が収納されるものに限定されず、第１収納室１２０ａまたは第２収納室１２０ｂの容量を適正に設定することにより、１つの色温度変換フィルタ部材あるいは３つ以上の色温変換フィルタ部材を第１収納室１２０ａまたは第２収容室１２０ｂに収納させることも可能である。
【００８６】
前述した各実施の形態では、各色温度変換フィルタ部材１１、１２は、１枚のプラスチックシート（例えば、厚さ：０．１ｍｍ〜０．５ｍｍ）で形成されたが、更に、薄いプラスチックシート（例えば、５０μｍ）を用いることができる。この場合、図２７に示すように、各色温度変換フィルタ部材１１（１２）は、薄い着色プラスチックシート１１ａ（１２ａ）にそれより厚い（例えば、０．１ｍｍ〜０．５ｍｍ）透明プラスチックシート１１ｂ（１２ｂ）を貼り合わせて形成される。この場合、透明プラスチックシート１１ｂ（１２ｂ）における支持部分１１０１（１２０１）とフィルタ本体部分１１０２（１２０２）の境に対応した部位にＶ字状の溝１１０３（１２０３）が形成される。着色プラスチックシート１１ａより厚い透明プラスチックシート１１ｂにＶ字状の溝が形成されるので、各色温度変換パネル部材１１、１２は、その溝１１０３（１２０３）境にして容易に折り曲げることができる。Ｖ事情の溝１１０３（１２０３）はレーザ加工技術によりその深さを最適なものにすることができる。
【産業上の利用可能性】
【００８７】
本発明に係るストロボ装置は、色温度変換フィルタをコンパクトに収納可能であって、色温度変換フィルタの各部が熱破損することなく有効にストロボ光の色温度調整が可能であるという効果を有し、ストロボ光の色温度を変換する色温度変換フィルタを内蔵するストロボ装置として有用である。
【符号の説明】
【００８８】
１１  第１色温度変換フィルタ部材
１２  第２色温度変換フィルタ部材
１３  照射角変換パネル部材
１４  キャッチライト板
２０  発光部
２１  発光管
２２  反射鏡
２３  発光窓
１００  ストロボ装置
１０１  軸体
１１０  ストロボケース体
１１１  上壁
１１２  下壁
１１３  仕切り壁（第１仕切り壁）
１１４  係止部
１１５  第２仕切り壁
１２０  収納室
１２０ａ  第１収納室
１２０ｂ  第２収納室
１２１  開口
１２１ａ  第１の開口
１２１ｂ  第２の開口
１２２  スライド孔
１２３  隔壁
１２４  押出し部材
１２４ａ  スライドブロック
１２４ｂ  スライド摘み
１２５  ガイド枠体
１２６  第１ガイド枠体
１２７  第２ガイド枠体
１１０１、１２０１  支持部分
１１０２、１２０２  フィルタ本体部分
１３０１  支持部分
１３０２  パネル本体部分
【図１】
2015079058.tif 000003
【図２】
2015079058.tif 000004
【図３】
2015079058.tif 000005
【図４】
2015079058.tif 000006
【図５】
2015079058.tif 000007
【図６】
2015079058.tif 000008
【図７】
2015079058.tif 000009
【図８】
2015079058.tif 000010
【図９】
2015079058.tif 000011
【図１０】
2015079058.tif 000012
【図１１】
2015079058.tif 000013
【図１２】
2015079058.tif 000014
【図１３】
2015079058.tif 000015
【図１４】
2015079058.tif 000016
【図１５】
2015079058.tif 000017
【図１６】
2015079058.tif 000018
【図１７】
2015079058.tif 000019
【図１８】
2015079058.tif 000020
【図１９】
2015079058.tif 000021
【図２０】
2015079058.tif 000022
【図２１】
2015079058.tif 000023
【図２２】
2015079058.tif 000024
【図２３】
2015079058.tif 000025
【図２４】
2015079058.tif 000026
【図２５】
2015079058.tif 000027
【図２６】
2015079058.tif 000028
【図２７】
2015079058.tif 000029